(57)【特許請求の範囲】
【請求項１】
ＦＯＴとシールドケースを保持するアライニングプレートを、ハウジングに結合するようにした光コネクタであって、
前記ハウジングは、前記アライニングプレートの両側に位置する一対の係止アームと、該一対の係止アームの間に位置するカバー板とを有し、
前記アライニングプレートに、前記カバー板に係合可能な係合リブが形成され、前記係合リブは、前記係止アームと前記カバー板との間に係合するとともに、前記カバー板の側端部に当接可能となっていることを特徴とする光コネクタ。
【請求項２】
前記係合リブが第１の係合リブであり、前記カバー板の裏面に形成された突部の間に係合する第２の係合リブをさらに備えたことを特徴とする請求項１に記載の光コネクタ。
【請求項３】
前記アライニングプレートに、前記係止アームと前記カバー板との間のガイド溝に係合するガイド突起が形成されていることを特徴とする請求項１または２に記載の光コネクタ。
【請求項４】
前記シールドケースは、前記ＦＯＴの窓側を覆う前面板と、該窓とは反対側を覆う背面板とを有し、該前面板と背面板とが当該シールドケース自体の弾性力により前記ＦＯＴを挟み付けるようにして該シールドケースが該ＦＯＴに取り付けられ、前記ハウジングに前記アライニングプレート側に突出して前記シールドケースの前記前面板の端部を押圧する突起を有することを特徴とする請求項１乃至３のいずれか一項に記載の光コネクタ。
【請求項５】
前記シールドケースは、前記ＦＯＴの窓側を覆う前面板と、該窓とは反対側を覆う背面板とを有し、該前面板と背面板とが当該シールドケース自体の弾性力により前記ＦＯＴを挟み付けるようにして該シールドケースが該ＦＯＴに取り付けられ、前記シールドケーズの前記前面板に曲げ加工部が形成され、前記ハウジングの前記アライニングプレート側の面を前記曲げ加工部に当接するようにしたことを特徴とする請求項１乃至４のいずれか一項に記載の光コネクタ。
【請求項６】
前記シールドケースは、前記ＦＯＴの窓側を覆う前面板と、該窓とは反対側を覆う背面板とを有し、該前面板と背面板とが当該シールドケース自体の弾性力により前記ＦＯＴを挟み付けるようにして該シールドケースが該ＦＯＴに取り付けられ、前記シールドケースは、前記背面板に該シールドケースの内側に打ち出して形成された打ち出し部を有し、前記アライニングプレートは、前記ＦＯＴと前記背面板との間で前記打ち出し部を押圧する壁状部を有することを特徴とする請求項１乃至４のいずれか一項に記載の光コネクタ。
【発明の詳細な説明】
【技術分野】
【０００１】
本発明は、ＦＯＴ（Fiber Optic Transceiver ）とシールドケースを例えばアライニングプレートで保持してこれらのアッセンブリを、レンズ等を収容したハウジングに取り付けるようにした光コネクタに関する。
【背景技術】
【０００２】
従来より、この種の光コネクタとして、例えば特開２００５−２６６１３０号公報（特許文献１）に開示されたものがある。この光コネクタには、例えば図１５に示すように、光信号の送受信を行うためのＦＯＴ１００が備えられており、このＦＯＴ１００は、「ケース体」としてのＦＯＴ本体１０１と、そのＦＯＴ本体１０１から突出する複数のリードフレーム１０２とを備えて構成されている。ＦＯＴ本体１０１には、図示しない発光素子又は受光素子が内蔵されており、これらの素子はそれぞれリードフレーム１０２の一端と電気的に接続されている。リードフレーム１０２の他端は、図示しない基板の回路上に設けられる孔に差し込まれる部分であって、その孔に差し込まれた後には、半田付けにより固定される。
【０００３】
ＦＯＴ１００は、電磁的なシールドを行うための金属製のシールドケース２００内に差し込まれる。なお、シールドケース２００にはＦＯＴ１００の素子を臨ませる窓１０３に対応する位置に開口２０１が形成されている。そして、ＦＯＴ１００は、これを整列するアライニングプレート３００に取り付けられる。また、これらのアッセンブリは、光ファイバーとレンズを保持する図示しないハウジングに固定される。
【先行技術文献】
【特許文献】
【０００４】
【特許文献１】特開２００５−２６６１３０号公報
【発明の概要】
【発明が解決しようとする課題】
【０００５】
光コネクタは、上記のようにＦＯＴとシールドケースとをアライニングプレートに組付け、この組付けたアッセンブリを、光ファイバやレンズ等を保持するハウジングに組付ける。このようにハウジングにアライニングプレートのアッセンブリを組付けた光コネクタにおいて、外力に対して堅牢であることが要求される。
【０００６】
本発明は、ＦＯＴとシールドケースをアライニングプレートに組付けたアッセンブリをハウジングに組付けた光コネクタにおいて、横方向に外力が加えられてもよいように、組み付け状態を堅牢に保持することを課題とする。
【課題を解決するための手段】
【０００７】
請求項１の光コネクタは、ＦＯＴとシールドケースを保持するアライニングプレートを、ハウジングに結合するようにした光コネクタであって、前記ハウジングは、前記アライニングプレートの両側に位置する一対の係止アームと、該一対の係止アームの間に位置するカバー板とを有し、前記アライニングプレートに、前記カバー板に係合可能な係合リブが形成され、前記係合リブは、前記係止アームと前記カバー板との間に係合するとともに、前記カバー板の側端部に当接可能となっていることを特徴とする。
【００１０】
請求項２の光コネクタは、請求項１に記載の光コネクタであって、前記係合リブが第１の係合リブであり、前記カバー板の裏面に形成された突部の間に係合する第２の係合リブをさらに備えたことを特徴とする。
【００１１】
請求項３の光コネクタは、請求項１または２に記載の光コネクタであって、前記アライニングプレートに、前記係止アームと前記カバー板との間のガイド溝に係合するガイド突起が形成されていることを特徴とする。
【００１２】
請求項４の光コネクタは、請求項１乃至３のいずれか一項に記載の光コネクタであって、前記シールドケースは、前記ＦＯＴの窓側を覆う前面板と、該窓とは反対側を覆う背面板とを有し、該前面板と背面板とが当該シールドケース自体の弾性力により前記ＦＯＴを挟み付けるようにして該シールドケースが該ＦＯＴに取り付けられ、前記ハウジングに前記アライニングプレート側に突出して前記シールドケースの前記前面板の端部を押圧する突起を有することを特徴とする。
【００１３】
請求項５の光コネクタは、請求項１乃至４のいずれか一項に記載の光コネクタであって、前記シールドケースは、前記ＦＯＴの窓側を覆う前面板と、該窓とは反対側を覆う背面板とを有し、該前面板と背面板とが当該シールドケース自体の弾性力により前記ＦＯＴを挟み付けるようにして該シールドケースが該ＦＯＴに取り付けられ、前記シールドケーズの前記前面板に曲げ加工部が形成され、前記ハウジングの前記アライニングプレート側の面を前記曲げ加工部に当接するようにしたことを特徴とする。
【００１４】
請求項６の光コネクタは、請求項１乃至４のいずれか一項に記載の光コネクタであって、前記シールドケースは、前記ＦＯＴの窓側を覆う前面板と、該窓とは反対側を覆う背面板とを有し、該前面板と背面板とが当該シールドケース自体の弾性力により前記ＦＯＴを挟み付けるようにして該シールドケースが該ＦＯＴに取り付けられ、前記シールドケースは、前記背面板に該シールドケースの内側に打ち出して形成された打ち出し部を有し、前記アライニングプレートは、前記ＦＯＴと前記背面板との間で前記打ち出し部を押圧する壁状部を有することを特徴とする。
【発明の効果】
【００１５】
請求項１乃至６の発明によれば、ハウジングのカバー板の端部に当接する係合リブを備えているので、光コネクタに対して横方向に外力が加えられても、アライニングプレートとハウジングとの組み付け状態を堅牢に保持することができる。
【００１６】
請求項３の発明によれば、ガイド溝とガイド突起との係合により、ハウジングに対するアライニングプレートの組み付け位置、組み付け方向が自動的に決まるので、組み付け作業が容易になる。
【００１７】
請求項４乃至６の発明によれば、シールドケース及びアライニングプレートのガタツキを防止することができる。
【図面の簡単な説明】
【００１８】
【図１】本発明の第１実施形態の光コネクタの分解斜視図である。
【図２】本発明の第１実施形態の光コネクタの第１の組み付け工程を示す斜視図である。
【図３】本発明の第１実施形態の光コネクタの第２の組み付け工程を示す斜視図である。
【図４】本発明の第１実施形態の光コネクタの第３の組み付け工程を示す斜視図である。
【図５】本発明の第１実施形態の光コネクタの第３の組み付け工程を示す断面図である。
【図６】第１実施形態の光コネクタの第２の組み付け工程の中間状態を示す断面図である。
【図７】第１実施形態の光コネクタの組付け状態の平面図及び背面図である。
【図８】本発明の第２実施形態の光コネクタの第２の組み付け工程を示す斜視図である。
【図９】本発明の第２実施形態の光コネクタの第３の組み付け工程を示す断面図である。
【図１０】本発明の第２実施形態の光コネクタの第２の組み付け工程の中間状態を示す断面図である。
【図１１】本発明の第３実施形態の光コネクタの第１の組み付け工程を示す斜視図である。
【図１２】本発明の第３実施形態の光コネクタの第２の組み付け工程を示す斜視図である。
【図１３】本発明の第３実施形態の光コネクタの第１の組み付け工程の中間状態を示す断面図である。
【図１４】本発明の第３実施形態の光コネクタの第２の組み付け工程を示す断面図である。
【図１５】従来の光コネクタの一部を示す斜視図である。
【発明を実施するための形態】
【００１９】
次に、本発明の実施の形態を図面を参照して説明する。図１は第１実施形態の光コネクタの分解斜視図、図２は第１実施形態の光コネクタの第１の組み付け工程を示す斜視図、図３は第１実施形態の光コネクタの第２の組み付け工程を示す斜視図、図４は第１実施形態の光コネクタの第３の組み付け工程を示す斜視図、図５は第１実施形態の光コネクタの第３の組み付け工程を示す断面図、図６は第１実施形態の光コネクタの第２の組み付け工程の中間状態を示す断面図、図７は第１実施形態の光コネクタの組付け状態の平面図及び背面図である。
【００２０】
この実施形態の光コネクタ１０は、一対のＦＯＴ（Fiber Optic Transceiver ）１，１と、シールドケース２と、アライニングプレート３と、ハウジング４と、レンズユニット５を備えている。
【００２１】
各ＦＯＴ１は、一方が送信用、他方が受信用であり、樹脂製で略直方体のＦＯＴ本体１１内に、図示しない発光素子や受光素子を内蔵している。これらの素子はそれぞれリードフレーム１２の一端と電気的に接続されており、この発光素子や受光素子、及びリードフレーム１２の一端は、光透過性を有する合成樹脂材料によりモールドされている。ＦＯＴ本体１１の正面には、上記発光素子や受光素子を臨ませる円形の窓１３が形成されており、この窓１３の周囲には、ＦＯＴ本体１１からハウジング４側に僅かに突出する円環状リブ１４が形成されている。リードフレーム１２は、その中間から他端にかけて真っ直ぐにのびるように形成されている。リードフレーム１２の他端は、図示しない基板の回路上に設けられる孔に差し込まれる部分であって、その孔に差し込まれた後には、半田付けにより固定されるようになっている。
【００２２】
シールドケース２は、電磁的なシールドを行うための部材であって、導電性を有する金属薄板をプレス加工することにより形成されている。シールドケース２は、一対のＦＯＴ１，１にそれぞれ対応する一対のケースユニット２Ａ，２Ａを有し、各ケースユニット２Ａ，２Ａは、ＦＯＴ１の窓１３側を覆う前面板２１と、窓１３とは反対側を覆う背面板２２と、ＦＯＴ１の上面を覆う天板２３と、ＦＯＴ１の側面を覆う側面板２４，２４と、を有している。これにより、各ケースユニット２Ａ，２Ａは、その底部が開口する箱形形状に形成されている。底部の開口は、後述する「壁状部」としての縦壁３２により抱え込まれるＦＯＴ本体１１の差し込みを可能とする大きさに形成されている。シールドケース２は、ＦＯＴ本体１１と後述する縦壁３２とを収容することができる大きさに形成されている。
【００２３】
シールドケース２は、前面板２１のＦＯＴ１の前記窓１３に対応する位置に開口２１ａを有している。また、シールドケース２の背面板２２には、バネ性を有する打ち出し部２２ａ（図５、図６参照）が形成されている。この打ち出し部２２ａは背面板２２の一部をケースユニット２Ａの内側に打ち出して形成されている。また、シールドケース２の底部側には、真っ直ぐにのびるアース兼固定用の脚部２ａが複数形成されている。脚部２ａは、上記図示しない基板に設けられる孔に差し込まれて固定される。
【００２４】
アライニングプレート３は、絶縁性を有する樹脂成形品であり、ＦＯＴ１，１とシールドケース２に対する取付部３１，３１と、取付部３１，３１から立設する「壁状部」としての縦壁３２，３２と、縦壁３２，３２の後部に立設する壁状の挟持壁３３と、挟持壁３３の両側に位置する側壁３４，３４を有している。なお、取付部３１には、ＦＯＴ１のリードフレーム１２と、シールドケース２の脚部２ａを、それぞれ差し込んで芯合わせするとともに曲がり難くするための複数の貫通孔やスリットが形成されている。
【００２５】
縦壁３２は、ＦＯＴ本体１１の一側面と背面とに対向する平面視Ｌ字状の形状に形成されている。なお、Ｌ字形状はＦＯＴ本体１１の背面側の壁のみの場合よりもＦＯＴ本体１５の位置を安定させる効果がある。また、縦壁３２は、ＦＯＴ本体１１の一側面に対向する壁同士が所定の間隔を有して対面するように配置形成されている。さらに、縦壁３２は、ＦＯＴ本体１１を抱え込むような状態でＦＯＴ本体１１と共にシールドケース２内に収容されるように配置形成されている。すなわち、当該光コネクタの組み付け状態で、縦壁３２は、はＦＯＴ本体１１とシールドケース２の背面板２２との間に挟まれた状態となる。
【００２６】
挟持壁３３は、縦壁３２との間でシールドケース２の前記背面板２２を挟み込むことができるような形状に形成されている。側壁３４の上端の前部には、外側に突出するガイド突起３４ａが形成されるとともに、このガイド突起３４ａと上端を一致させ、後述のハウジング４のカバー板４３の側端面４３ａに当接する第１の係合リブ３４ｂが形成されている。また、側壁３４の外壁には後述の係止アーム４２に係止されるロックビーク３４ｃが形成されている。また、挟持壁３３の上端辺には後述のハウジング４のカバー板４３の裏側に係合する第２の係合リブ３３ａが形成されている。
【００２７】
ハウジング４は、絶縁性を有する樹脂成形品であり、略直方体形状の内空間４Ａを有するハウジング本体４１と、アライニングプレート３の両側に位置する一対の係止アーム４２と、この一対の係止アーム４２の間に位置して、ハウジング本体４１の上面から該上面と面一にして突出する平板状のカバー板４３とを有している。そして、係止アーム４２とカバー板４３との間隙によりガイド溝４４が構成されている。係止アーム４２にはアライニングプレート３のロックビーク３４ｃを係止する係止溝４２ａが形成されている。また、ハウジング本体４１の内空間４Ａ内には、図示しない光ファイバとレンズユニット５を保持するための一対の円筒状のスリーブ４１ａ（図５参照）を有している。さらに、ハウジング本体４１の側部には、グランドピンＧをセットするピン保持部４１ｄが形成されている。また、図７に示すように、カバー板４３の裏側には、２条の突条４３ｂ，４３ｂが形成されている。
【００２８】
レンズユニット５は、平板状の一対の基板５１，５１と、各基板５１，５１から立設された一対のレンズ部５２，５２とを、所定の光学特性を有する透明樹脂により一体に成形したものである。なお、一対のレンズ部５２，５２の一方は、ＦＯＴ１の発光素子からの光を光ファイバ側に集光し、他方は光ファイバからの光をＦＯＴ１の受光素子に集光する。
【００２９】
以上の構成により、実施形態の光コネクタ１０は以下のように組み付けられる。図２に示すように、まず、ＦＯＴ１をアライニングプレート３に組み付ける。図２（Ａ）に示すように、ＦＯＴ１の窓１３をアライニングプレート３の外側に向けて、ＦＯＴ１のリードフレーム１２を取付部３１の複数の貫通孔やスリットに挿通し、図２（Ｂ）に示すように、ＦＯＴ１のＦＯＴ本体１１を縦壁３２に組み付ける。
【００３０】
次に、図３に示すように、ＦＯＴ１とアライニングプレート３の組付けアッセンブリ２０に対して、シールドケース２を組み付ける。図３（Ａ）に示すように、シールドケース２の前面板２１をＦＯＴ１の窓１３側にして、シールドケース２の脚部２ａを取付部３１の複数の貫通孔やスリットに挿通し、図３（Ｂ）に示すように、ＦＯＴ１にシールドケース２の各ケースユニット２Ａ，２ＡをＦＯＴ本体１１，１１に被せる。このとき、シールドケース２の前面板２１の開口２１ａ内に、ＦＯＴ１の円環状リブ１４が嵌合する。これにより、ＦＯＴ１、アライニングプレート３及びシールドケース２の中間アッセンブリ３０が完成する。
【００３１】
次に、図４及び図５に示すように、グランドピンＧをセットしたハウジング４に対して中間アッセンブリ３０を組み付ける。なお、図５に示すように、ハウジング本体４１内の前記スリーブ４１ａ内にレンズユニット５のレンズ部５２が嵌合され、レンズユニット５がハウジング４に組み付けられている。図４（Ａ）及び図５（Ａ）に示すように、ＦＯＴ１の窓１３をハウジング４側に向けて中間アッセンブリ３０をハウジング４の係止アーム４２，４２とカバー板４３との内側に填め込む。これにより、図４（Ｂ）及び図５（Ｂ）に示すように、光コネクタ１０が組み上がる。
【００３２】
このように、ＦＯＴ１の窓１３の周囲の円環状リブ１４にシールドケース２の開口２１ａを嵌合することで、ＦＯＴ１とシールドケース２との相互の位置が規定される。したがって、シールドケース２が窓１３の一部を隠すこともなく、シールドケース２とＦＯＴ１との組付け位置も規定される。さらに、円環状リブ１４によりＦＯＴ１の窓１３への横からの光を遮光することもできる。
【００３３】
ここで、第２の組付け工程のとき、図４に示すアライニングプレート３のガイド突起３４ａと第１の係合リブ３４ｂを、ハウジング４のガイド溝４４（係止アーム４２とカバー板４３との間隙）に沿わせて挿通し、ガイド突起３４ａと第１の係合リブ３４ｂをガイド溝４４に嵌合する。また、この組み付け時には、係止アーム４２の端部がアライニングプレート３のロックビーク３４ｃを乗り越えて、このロックビーク３４ｃが係止アーム４２の係止溝４２ａに填まり込み、このロックビーク３４ｃが係止溝４２ａに係止される。このように、ガイド溝４４とガイド突起３４ａにより、ハウジング４に対する中間アッセンブリ３０の組み付け位置、組み付け方向が自動的に決まるので、組み付け作業が容易になる。
【００３４】
また、アライニングプレート３の第１の係合リブ３４ｂは、ガイド溝４４内にあって、この第１の係合リブ３４ｂの内側の面はガイド溝４４の内側の縁を構成するカバー板４３の側端面４３ａに当接する。さらに、図７に示すように、アライニングプレート３の第２の係合リブ３３ａはカバー板４３の裏側の２条の突条４３ｂ，４３ｂの間に嵌合する。したがって、当該光コネクタ１０に対して横方向に外力が加えられても、アライニングプレート３（中間アッセンブリ３０）とハウジング４との組み付け状態を堅牢に保持することができる。なお、参考例として、アライニングプレート３とカバー板４３の構成において、第１の係合リブ３４ａが側端面４３ａに当接する構成と、第２の係合リブ３３ａが突条４３ｂ，４３ｂの間に嵌合する構成は、何れか一方の構成だけでも、上記組み付け状態を堅牢に保持することができる。
【００３５】
ここで、この第１実施形態では、図３の第２の組み付け工程でシールドケース２をＦＯＴ本体１１に填め込むとき、前面板２１がＦＯＴ本体１１の円環状リブ１４を乗り越えるようになる。すなわち、図６に示すように、シールドケース２は、金属薄板の弾性力により前面板２１と背面板２２とがＦＯＴ本体１１を挟み付けるように作用するが、ＦＯＴ本体１１に組み付けるときは、この弾性力に抗して前面板２１を開くように撓ませ、この前面板２１の端部２１１をＦＯＴ本体１１の円環状リブ１４に対して乗り越えさせる。また、背面板２２及び打ち出し部２２ａは、打ち出し部２２の弾性力に抗してアライニングプレート３の縦壁３２と挟持壁３３との間に挿通する。
【００３６】
このように、シールドケース２をＦＯＴ本体１１に填め込むとき、前面板２１を開くように撓ませるため、シールドケース２をＦＯＴ本体１１に完全に組み付けた状態でも、前面板２１の端部２１１とＦＯＴ本体１１の面との間に隙間が生じる。
【００３７】
これに対して、図５に示すように、ハウジング４のハウジング本体４１には、中間アッセンブリ３０側（アライニングプレート３側）に僅かに突出する突起４１ｂが形成されている。したがって、図５(B) に示すように、ハウジング４に中間アッセンブリ３０を組み付けた状態では、このハウジング４側の突起４１ｂが、シールドケース２の前面板２１の端部２１１を押圧する。これにより、前面板２１は、開口２１ａ内に円環状リブ１４を嵌合させた状態で、ＦＯＴ本体１１の面との間の隙間を抑制することができる。したがって、シールドケース２のノイズ防止性能の低下を防止することができる。
【００３８】
また、ハウジング４とアライニングプレート３とは係止アーム４２とロックビーク３４ｃとにより分離方向が規制されて互いに固定されている。さらに、ハウジング４の突起４１ｂがシールドケース２の前面板２１の端部２１１を押圧している。したがって、アライニングプレート３に常時テンションが係り、ハウジング４（及びレンズユニット５）に対して、アライニングプレート３のガタ付きが防止され、レンズユニット５とＦＯＴ１との対向面の間隔を一定に保つことができ、安定した通信を確保できる。
【００３９】
次に、第２実施形態ついて説明するが、以下の各実施形態において、第１実施形態と共通する構成については、第１実施形態の図面とその説明を援用し、重複する説明は省略する。また、各実施形態において、第１実施形態と概略同様な要素には第１実施形態の要素と同符号を用いる。
【００４０】
図８は第２実施形態の光コネクタの第２の組み付け工程を示す斜視図、図９は第２実施形態の光コネクタの第３の組み付け工程を示す断面図、図１０は第２実施形態の光コネクタの第２の組み付け工程の中間状態を示す断面図である。
【００４１】
第２実施形態と第１実施形態の相違点は、シールドケース２の前面板の形状とハウジング１の形状である。第２実施形態のシールドケース２は、第１実施形態と同様な背面板２２、天板２３、側面板２４，２４を有するとともに、開口２５ａと曲げ加工部２５ｂが形成された前面板２５を有している。曲げ加工部２５ｂは、前面板２５の中央から下半分を外側に折り曲げて形成したものである。
【００４２】
この第２実施形態の光コネクタ１０は以下のように組み付けられる。なお、ＦＯＴ１をアライニングプレート３に組み付ける第１の組み付け工程は図２に示す第１実施形態と同じである。この第１の組み付け工程で、組み付けた組付けアッセンブリ２０に対して、図８に示す第２の組み付け工程でシールドケース２を組み付ける。図８（Ａ）に示すように、シールドケース２の前面板２５をＦＯＴ１の窓１３側にして、シールドケース２の脚部２ａを取付部３１の複数の貫通孔やスリットに挿通し、図８（Ｂ）に示すように、ＦＯＴ１にシールドケース２の各ケースユニット２Ａ，２ＡをＦＯＴ本体１１，１１に被せる。このとき、シールドケース２の前面板２５の開口２５ａ内に、ＦＯＴ１の円環状リブ１４が嵌合する。これにより、ＦＯＴ１、アライニングプレート３及びシールドケース２の中間アッセンブリ３０が完成する。
【００４３】
次に、図９に示すように、グランドピンＧをセットしたハウジング４に対して中間アッセンブリ３０を組み付ける。図９（Ａ）に示すように、ＦＯＴ１の窓１３をハウジング４側に向けて中間アッセンブリ３０をハウジング４の係止アーム４２，４２とカバー板４３との内側に填め込む。これにより、図９（Ｂ）に示すように、光コネクタ１０が組み上がる。
【００４４】
このとき、第１実施形態と同様に、ガイド突起３４ａと第１の係合リブ３４ｂをガイド溝４４に沿わせて挿通し、ガイド突起３４ａと第１の係合リブ３４ｂをガイド溝４４に嵌合する。また、ロックビーク３４ｃが係止アーム４２の係止溝４２ａに填まり込み、このロックビーク３４ｃが係止溝４２ａに係止される。したがって、第１実施形態と同様に組み付け作業が容易になる。
【００４５】
また、アライニングプレート３の第１の係合リブ３４ｂの内側の面はカバー板４３の側端面４３ａ（第１実施形態の図１、図４（Ａ）及び図７）に当接し、さらに、アライニングプレート３の第２の係合リブ３３ａはカバー板４３の裏側の２条の突条４３ｂ，４３ｂの間に嵌合するので、当該光コネクタ１０に対して横方向に外力が加えられても、アライニングプレート３とハウジング４との組み付け状態を堅牢に保持することができる。
【００４６】
ここで、この第２実施形態では、図１０に示すように、シールドケース２をＦＯＴ本体１１に填め込むとき、前面板２５の曲げ加工部２５ｂがＦＯＴ本体１１の円環状リブ１４に係るが、曲げ加工部２５ｂは外側に折り曲げられているので、前面板２５と背面板２２は、殆ど撓むことなく、開口２５ａ（その一部）が円環状リブ１４に填まり込む。なお、背面板２２及び打ち出し部２２ａは、打ち出し部２２の弾性力に抗してアライニングプレート３の縦壁３２と挟持壁３３との間に挿通する。
【００４７】
そして、図９のように、中間アッセンブリ３０をハウジング４の係止アーム４２，４２とカバー板４３との内側に填め込むと、ハウジング本体４１の中間アッセンブリ３０側（アライニングプレート３側）の端面４１ｃがシールドケース２の前面板２５の曲げ加工部２５ｂを押圧する。シールドケース２をＦＯＴ本体１１に填め込むとき前面板２５と背面板２２は撓まないので、特に前面板２５の天板２３側近傍とＦＯＴ本体の面との間の隙間を抑制することができ、シールドケース２のノイズ防止性能の低下を防止することができる。
【００４８】
また、この第２実施形態でも、ハウジング４の端面４１ｃがシールドケース２の前面板２５の曲げ加工部２５ｂを押圧しているので、アライニングプレート３に常時テンションが係り、ハウジング４（及びレンズユニット５）に対して、アライニングプレート３のガタ付きが防止され、レンズユニット５とＦＯＴ１との対向面の間隔を一定に保つことができ、安定した通信を確保できる。
【００４９】
図１１は第３実施形態の光コネクタの第１の組み付け工程を示す斜視図、図１２は第３実施形態の光コネクタの第２の組み付け工程を示す斜視図、図１３は第３実施形態の光コネクタの第１の組み付け工程の中間状態を示す断面図、図１４は第３実施形態の光コネクタの第２の組み付け工程を示す断面図である。
【００５０】
第３実施形態と第１及び第２実施形態の相違点は、シールドケース２とアライニングプレート３の形状である。ハウジング１の形状は第２実施形態と同様である。第３実施形態のシールドケース２のケースユニット２Ａ，２Ａは、第１実施形態と同様な前面板２１を有する。第１実施形態におけるシールドケース２の天板２３は、ＦＯＴ本体１１とアライニングプレート３の縦壁３２とを覆う幅となっているが、図１３及び図１４に示すように、第３実施形態におけるシールドケース２はＦＯＴ本体１１のみを覆う幅の天板２３′を有している。また、この天板２３′の後端から縦壁３２の厚み分だけ段差を持たせた背面板２６と、ＦＯＴ１の側面を覆う側面板２４′，２４′とを有している。さらに、背面板２６は、シールドケース２の内側に打ち出して形成された打ち出し部２６ａを有し、この打ち出し部２６ａは、天板２３′側の端部が弾性変形時の自由端となっている。また、この第３実施形態のアライニングプレート３の縦壁３２′は第１実施形態の縦壁３２より低くなっている。
【００５１】
この第３実施形態の光コネクタ１０は以下のように組み付けられる。図１１に示す第１の組み付け工程でシールドケース２をＦＯＴ１に組み付ける。図１１（Ａ）に示すように、シールドケース２の前面板２１をＦＯＴ１の窓１３側にし、図１１（Ｂ）に示すように、ＦＯＴ１にシールドケース２の各ケースユニット２Ａ，２ＡをＦＯＴ本体１１，１１に被せる。この第１の組み付け工程の詳細は、図１３により後述説明する。
【００５２】
次に、ＦＯＴ１にシールドケース２を組み付けた組付けアッセンブリ４０を、図１２に示す第２の組み付け工程で、アライニングプレート３に組み付ける。図１２（Ａ）に示すように、シールドケース２の背面（背面板２６側）をアライニングプレート３の挟持壁３３側にし、図１２（Ｂ）に示すのＦＯＴ１のリードフレーム１２とシールドケース２の脚部２ａを、取付部３１の複数の貫通孔やスリットに挿通し、アライニングプレート３の縦壁３２′がＦＯＴ本体１１と背面板２７との間に挿入されるように組み付ける。これにより、ＦＯＴ１、シールドケース２及びアライニングプレート３の中間アッセンブリ３０が完成する。なお、この中間アッセンブリ３０をハウジング１に組み付ける工程は第２実施形態と同様である。
【００５３】
この第３実施形態でも、第１実施形態と同様に、ガイド突起３４ａと第１の係合リブ３４ｂをガイド溝４４に沿わせて挿通して組み付ける。これにより、第１実施形態と同様に組み付け作業が容易になる。また、アライニングプレート３の第１の係合リブ３４ｂがカバー板４３の側端面４３ａに当接し、さらに、アライニングプレート３の第２の係合リブ３３ａはカバー板４３の裏側の２条の突条４３ｂ，４３ｂの間に嵌合するので、当該光コネクタ１０に対して横方向に外力が加えられても、アライニングプレート３とハウジング４との組み付け状態を堅牢に保持することができる。
【００５４】
第３実施形態の第１の組み付け工程では、図１３（Ａ）に示すように、まず、ＦＯＴ本体１１の頂部をシールドケース２の打ち出し部２６ａに当接させる。この状態で、背面板２６の段差の分だけ、前面板２１はＦＯＴ本体１１から離間し、この前面板２１を撓ませることなく前面板２１の端部２１１は円環状リブ１４に当接しない。次に、図１３（Ｂ）に示すように、ＦＯＴ本体１１で打ち出し部２６ａをその弾性力に抗して押し曲げるようにし、ＦＯＴ本体１１をシールドケース２内に挿入する。
【００５５】
このとき、円環状リブ１４の先端は前面板２１の内面に沿って摺動する。そして、図１３（Ｃ）に示すように、ＦＯＴ本体１１をシールドケース２の奥まで挿入すると、前面板２１の開口２１ａ内に円環状リブ１４が嵌合する。このとき、打ち出し部２６ａはＦＯＴ本体１１の背面から外れ、この打ち出し部２６ａの端部がＦＯＴ本体１１の底部に係合する。これにより、ＦＯＴ１とシールドケース２とが一体に組み付けられ、組付けアッセンブリ４０となる。このように、前面板２１と背面板２６とを無理に広げる必要がないので、組み付け作業が容易になる。また、ＦＯＴ１とシールドケース２とが一体に組み付けられているので、この組付けアッセンブリ４０をアライニングプレート３に組み付ける組み付け作業が容易になる。
【００５６】
第３実施形態の第２の組み付け工程では、図１４（Ａ）に示すように、組付けアッセンブリ４０の背面板２６の端部をアライニングプレート３の縦壁３２′と挟持壁３３との間に差し込み、縦壁３２′を打ち出し部２６ａに当接させる。この状態で、組付けアッセンブリ４０をアライニングプレート３側に押し込むと、打ち出し部２６ａが湾曲して、打ち出し部２６ａの端部がＦＯＴ本体１１の底部から外れ、図１４（Ｂ）に示すように、打ち出し部２６ａは背面板２６と共に、縦壁３２′と挟持壁３３との間に挿通される。これにより、組付けアッセンブリ５０となる。
【００５７】
この組付けアッセンブリ５０は第１実施形態及び第２実施形態と同様にハウジング４に組付けられる。そして、打ち出し部２６ａの弾性力により、シールドケース２とＦＯＴ１に対して常時テンションが係り、前記ハウジング４（及びレンズユニット５）に対して、ＦＯＴ１のガタ付きが防止され、レンズユニット５とＦＯＴ１との対向面の間隔を一定に保つことができ、安定した通信を確保できる。
【００５８】
なお、前述した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明の給電機構の構成を具備する限り、勿論、本発明の範疇に含まれるものである。
【符号の説明】
【００５９】
１      ＦＯＴ
１１    ＦＯＴ本体
１２    リードフレーム
１３    窓
２      シールドケース
２１    前面板
２２    背面板
３      アライニングプレート
３２    縦壁３２
３３    挟持壁３３
３３ａ  係合リブ
３４    側壁
３４ａ  ガイド突起
３４ｂ  係合リブ
３４ｃ  ロックビーク
４      ハウジング
４１    ハウジング本体
４２    係止アーム
４２ａ  係止溝
４３    カバー板
４４    ガイド溝
５      レンズユニット
【図１】
0006273232.tif 000002
【図２】
0006273232.tif 000003
【図３】
0006273232.tif 000004
【図４】
0006273232.tif 000005
【図５】
0006273232.tif 000006
【図６】
0006273232.tif 000007
【図７】
0006273232.tif 000008
【図８】
0006273232.tif 000009
【図９】
0006273232.tif 000010
【図１０】
0006273232.tif 000011
【図１１】
0006273232.tif 000012
【図１２】
0006273232.tif 000013
【図１３】
0006273232.tif 000014
【図１４】
0006273232.tif 000015
【図１５】
0006273232.tif 000016